(57)【要約】【課題】  従来のマイナスイオン電球は高圧リード線の強電界の影響で回路不調による不具合等があった。又、組立て方法や熱の問題があった為、出荷後に不良が発生していた。【解決手段】  高圧発生部１５及び高圧リード線１９等を絶縁破壊強度のカプセル内に一体にし、マイナスイオン発生カプセル5としたことにより、高圧リード線１９の強電界の影響防止、組立ての効率を高め、更に性能安定の為に本体通気孔２２、及び基板通気孔２１とカプセル放熱スリット３３を設けたことによりマイナスイオン放出孔３２と連通させ、放熱効果を高めるよう構成されてなる。【選択図】  図１
2014022148.tif 000002
【特許請求の範囲】
【請求項１】
高圧発生部及び高圧リード線及び放電針を絶縁破壊強度の高いカプセル内に一体にして収納しマイナスイオン発生カプセルとし、これをLED素子基板とＬＥＤ制御回路基板で構成される複数若しくは単体の回路構成体とで一つのユニットにしたもので、これを本体ケースに固定することにより、放電針をマイナスイオン放出孔に向けてなるLEDイオン電球。
【請求項２】
口金及び口金端子からの受電を回路構成体にある一対の受電プラグとケース本体に設置されたやはり一対の弾性を有する通電体との接触によって容易に受電できるようにしてなる請求項１記載のLEDイオン電球。
【請求項３】
回路固定の弾性を有する通電体一対がそれぞれ口金と口金端子の接触によって受電を行うようにしてなる請求項１記載のLEDイオン電球。
【請求項４】
通気孔を本体ケースの側面と回路構成体の基板に複数設けてマイナスイオン放出孔と通気可能にしてなる請求項１記載、又は請求項２記載、請求項３記載のLEDイオン電球。
【請求項５】
カプセル側面にカプセル放熱スリットを設けて温度上昇を抑制するようにしてなる請求項１記載、又は請求項２記載、請求項３記載、請求項４記載のLEDイオン電球。
【発明の詳細な説明】
【技術分野】
【０００１】
本発明は、マイナスイオン発生器を有するLEDイオン電球に関するものである。
【背景技術】
【０００２】
電球型照明器具にマイナスイオン発生器が設けられたものがあった。例えば、本出願人が出願した電球型の照明灯付き空気清浄装置（特許文献１）、及びマイナスイオン発生器を有する電球型ＬＥＤランプ（特許文献２）などがある。
【特許文献１】特許第４５０４４９３号
【特許文献２】実用新案登録３１６０９６１号
【０００３】
これらは口金から受電して照明灯を点しつつマイナスイオンを放出するもので、ソケットさえあればどこでもマイナスイオンによる空気清浄効果を得られるというものであり、特にマイナスイオン発生器を有する電球型ＬＥＤランプ（特許文献2）では光源にLEDを用いているので消費電力も小さくしかも４００００時間程度の寿命を有するので電力不足や資源節約時代に対応できる室内環境配慮型LEDイオン電球といえる。
【０００４】
このような優れた性能を有するので既に製品化され実際に使われている。しかし、時折原因不明のマイナスイオン発生不良などがあった。
【発明の開示】
【発明が解決しようとする課題】
【０００５】
従来の技術でも述べたように、LEDイオン電球にはやや問題もあった。組み立て前の各部品検査ではそれぞれ正常でも組み立て後には原因不明の誤作動やマイナスイオン発生不良といった不具合が時折あり、製品の安定性に不安が生じていた。この原因は高圧発生部から放電針につながる高圧リード線が回路構成体に電気的影響を与えているからと考えられる。高圧リード線周囲には強電界が発生しており、回路構成体の回路部品と高圧リード線との距離が想定より近くなれば絶縁破壊やその他の電気的作用もあると思われるが、電球型の内部は容積が小さくしかも手作業の組み立て時には高圧リード線も撓んだりして位置が一定しなく想定外の部品間における相互作用も見逃せない。又、ＬＥＤ基板や高圧発生部の熱により性能不良に影響を与えている。
【０００６】
本発明が解決しようという課題は、前に述べた高圧リード線による電気的影響を防止もしくは軽減して品質性能の安定したLEDイオン電球を広く提供することにある。
【課題を解決するための手段】
【０００７】
本発明は前記した課題を解決するために請求項１に関して云えば、高圧発生部及び高圧リード線及び放電針を絶縁破壊強度の高いカプセル内に一体にして収納しマイナスイオン発生カプセルとし、これをLED素子基板とＬＥＤ制御回路基板で構成される複数若しくは単体の回路構成体とで一つのユニットにしたもので、これを本体ケースに挿入しねじ等で固定すれば容易にかつ正確に放電針をマイナスイオン放出孔中心に合わせられ、かつ組み立ても容易になる。
【０００８】
請求項２に記載の発明は請求項1記載のLEDイオン電球において、口金及び口金端子からの受電を回路構成体にある一対の受電プラグとケース本体に設置されたやはり一対の弾性を有する通電体との接触によって容易に受電できるようにしてなる。
【０００９】
請求項３記載の発明は請求項１に記載のLEDイオン電球において、回路固定の弾性を有する通電体一対がそれぞれ口金と口金端子の接触によって受電を行うようにしてなる。
【００１０】
請求項４記載の発明は請求項１又は請求項２、請求項３記載のLEDイオン電球において、通気孔を本体ケースの側面と回路構成体の基板に複数設けてグローブのマイナスイオン放出孔と通気可能となり、基板の熱を抑制出来る。
【００１１】
請求項５記載の発明は請求項１又は請求項２、請求項３、請求項４記載のLEDイオン電球において、カプセル側面にカプセル放熱スリットを設けて高圧発生部の温度上昇を抑制できる。
【発明の効果】
【００１２】
本発明は上記のように、高圧発生部及び高圧リード線、放電針を絶縁破壊強度の高いカプセル内に一体にして収納しマイナスイオン発生カプセルとするので、高圧リード線による回路構成体への電気的影響を防止もしくは軽減できる効果を有し、結果として設定されたLEDイオン電球の寿命が確保できる。
【００１３】
請求項１にあるように、マイナスイオン発生カプセルと回路構成体とで一つのユニットにしてあるので、これを本体ケースに挿入しねじ等で固定すれば容易にかつ正確に放電針をマイナスイオン放出孔中心に合わせられ、組み立ても容易になりコスト低減効果を持つ。
【００１４】
請求項２にあるように、口金及び口金端子からの受電を回路構成体にある一対の受電プラグとケース本体に設置された一対の弾性を有する通電体との接触によって容易に受電できるようにしてなるので組み立ては容易となる。
【００１５】
請求項３にあるように、回路固定の弾性を有する通電体一対がそれぞれ口金と口金端子の接触板との接触によって受電でき、組み立て効率は更に高まる。
【００１６】
請求項４に関して云えば、通気孔を本体ケースの側面と回路構成体の基板に複数設けてグローブのマイナスイオン放出孔と通気可能となり放熱効果が高まる。
【００１７】
請求項５に関して云えば、カプセル放熱スリットを有するので温度上昇を抑制できる。
【発明を実施するための最良の形態】
【００１８】
本発明のLEDイオン電球１の実施例形態を図１から図５に基づき説明する。
【００１９】
図１は本発明の請求項１に記載されるLEDイオン電球1の実施例を主な部品構成と位置関係を表している。本体ケース２内部にマイナスイオン発生カプセル５がＬＥＤ素子基板6とＬＥＤ制御回路基板７で構成される回路構成体１４にセットされた状態で固定ねじ２３及びカプセル固定ねじ２４で本体ケース２に係止されるが、その場合、電源は本体ケース２の内部に設置された所定形状に形成されたリン青銅のような弾性を有する通電体Ａ９と、同じく弾性を有する通電体Ｂ１０とが回路構成体１４にある２個の受電プラグ１１との接触によって供給される。なお回路構成体１４は図２に示すように単体の基板でも構わない。マイナスイオン発生カプセル５の電源はＬＥＤ制御回路基板７に設けられた受電リード線接続コネクター１８から２本の受電リード線１３で供給される。受電プラグ１１は黄銅若しくはアルミ製等で、ＬＥＤ素子基板６とＬＥＤ制御回路基板７とを受電プラグ固定ねじ１２で通電するとともに上下の基板を間隔を設けて固定するスペーサーも兼ねる。
【００２０】
グローブ3はＬＥＤ素子8からの光を拡散するとともに頂部のマイナスイオン放出孔３２を有して放電針２０よりマイナスイオン３１の放出と放熱孔の役割も果たす。グローブ３の素材は樹脂でもガラス製でも構わない。
【００２１】
本体ケース２は放熱効果の高いしかも絶縁破壊強度の高い樹脂を用い射出成型で得るが、底部には縦にスリットがあるカプセル収容部２７と、更に本体ケース２内部には弾性を有する通電体Ａ９及び弾性を有する通電体Ｂ１０をねじもしくはその他の固定方法で保持できるような構造を持ち、しかも本体ケース２の上部付近では回路構成体１４を固定する固定ねじ穴２９を有したリブ構造体37を持ち、なおも最上部にはグローブ３と接続する薄い立ち上がり部分を有して構成される。グローブ３と本体ケース２の接続は嵌めあい若しくは接着剤併用あるいはねじ込み構造でも構わないが容易に外れないような最良の手段をとる。
【００２２】
マイナスイオン発生カプセル５は本体ケース２と同様に放熱効果の高いしかも絶縁破壊強度の高い樹脂製もしくはセラミック製でも構わない。構造はカプセル上部１６とカプセル下部１７に分離でき、カプセル下部１７の上部付近で合わせられる。接合手段は材料によって最良の方法を選択すればよい。カプセル上部１６の下部には２本の受電リード線１３が出る穴が設けてある。尚、図４及び図６ではカプセル下部１７にはカプセル放熱スリット３３が複数設けられるのが示されている。カプセル上部１６には高圧リード線１９でつながる放電針２０が突き出るような構造となっていて、しかもこの細いテーパ状のカプセル上部１６は回路構成体1４の中心に設けられた穴に挿入して固定されるが、接着あるいはねじ止め式等でも構わない。本体ケース２と口金４は容易に外れない方法で固定される。口金端子２５は口金絶縁体２６に圧入されその先端が弾性を有する通電体Ｂ１０の末端と確実に接触させる。弾性を有する通電体Ａ９は口金４の内部でやはり同様に接触させる。回路構成体１４とマイナスイオン発生カプセル５とが一体にセットされてユニット化されたものが本体ケース２内部のリブ状構造体３７の上面に設けられた固定ねじ穴２９に固定ねじ２３で固定すれば本体ケース２内側の弾性のある通電体Ａ９及び弾性のある通電体Ｂ１０と回路構成体の下部にある一対の受電プラグ１１とが接触し、こうして構成されたものを口金４と接続固定すれば受電回路は完成する。口金４と本体ケース２の固定は、従来の方法つまりかしめや圧入などで行われる。
【００２３】
図２は本発明の請求項１に記載されるLEDイオン電球１のもう一つの実施例を表している。本発明は通常のＬＥＤ電球と異なり、マイナスイオン発生カプセル５用の回路部品が増えるので図１では複数の回路基板を立体的にした回路構成体１４を示しているが、図２は１枚の回路基板からなるもので、表裏にＬＥＤ素子８及び回路部品２８を無駄なく実装してLEDイオン電球１の内部空間容積を少しでも確保し、熱の蓄積を小さくした実施例である。
【００２４】
図３は本発明の請求項３に記載される実施例である。この実施例の特徴は、回路構成体１４の下部に一対の回路固定の弾性を有する通電体Ａ35及び回路固定の弾性を有する通電体Ｂ36が固定され、組み立てがよりしやすくなっている。口金４の内部では口金端子２５の接触板３４があり、回路固定の弾性を有する通電体Ｂ３６と接触通電できる。尚、接触板３４は円盤で口金端子２５とねじ止めやカシメ等で固定する。回路固定の弾性を有する通電体Ａ３５は図２同様口金の内部と接触通電できる。
【００２５】
図４は図１の構成を組み立て図として示す。
【００２６】
図５は本発明の外観で、通電とともにＬＥＤ素子８の発光と同時にマイナスイオン放出孔３２からマイナスイオン３１と本体通気孔２２から取り入れた空気３８が放出されていることを示している。
【産業上の利用可能性】
【００２７】
本発明は以上のように構成されるので、低コスト及び簡単な構造でありながら高機能なマイナスイオン発生ＬＥＤ電球を広く普及させることが可能なので有用である。
【図面の簡単な説明】
【００２８】
【図１】請求項１の実施例を示す構造図（概念断面図）である。
【図２】請求項１の実施例で、回路構成体が回路基板１枚よりなる構造図（概念断面図）である。
【図３】請求項３の実施例を示す構造図（概念断面図）である。
【図４】請求項１及び請求項２の実施例を表す組み立て図（斜視図）である。
【図５】本発明の外観を示す斜視図である。
【図６】本発明の実施例で、マイナスイオン発生カプセルを回路構成体にセットされた状態を示す斜視図である。
【符号の説明】
【００２９】
１  ＬＥＤイオン電球
２  本体ケース
３  グローブ
４  口金
５  マイナスイオン発生カプセル
６  ＬＥＤ素子基板
７  ＬＥＤ制御回路基板
８  ＬＥＤ素子
９  弾性を有する通電体Ａ
１０  弾性を有する通電体Ｂ  
１１  受電プラグ
１２  受電プラグ固定ねじ
１３  受電リード線
１４  回路構成体
１５  高圧発生部
１６  カプセル上部
１７  カプセル下部
１８  受電リード線接続コネクター
１９  高圧リード線
２０  放電針
２１  基板通気孔
２２  本体通気孔
２３  固定ねじ
２４  カプセル固定ねじ
２５  口金端子
２６  口金絶縁体
２７  カプセル収容部
２８  回路部品
２９  固定ねじ穴
３０  カプセル収容部スリット
３１  マイナスイオン
３２  マイナスイオン放出孔
３３  カプセル放熱スリット
３４  接触板
３５  回路固定の弾性を有する通電体Ａ
３６  回路固定の弾性を有する通電体Ｂ
３７  リブ構造体
３８  空気
【図１】
2014022148.tif 000003
【図２】
2014022148.tif 000004
【図３】
2014022148.tif 000005
【図４】
2014022148.tif 000006
【図５】
2014022148.tif 000007
【図６】
2014022148.tif 000008